(57)【要約】【課題】画像信号を送信するソース機器の出力インターフェースが、ＤＶＩ規格、ＨＤＭＩ規格のいずれであっても、ユーザが希望する表示モードで表示することができる画像表示装置を提供する。【解決手段】画像表示装置１０は、ＨＤＭＩ規格に準拠した複数の入力インターフェース（ソース機器（１）（２））１１、１２と、それぞれＥＤＩＤ情報が書き込まれる不揮発性メモリ（１）（２）１３、１４とを有し、これらの不揮発性メモリの少なくとも１つがＥＤＩＤ情報の書き換えが可能なものになっており、この不揮発性メモリに書き込まれるＥＤＩＤ情報のうち、画像表示装置の解像度及びアスペクト情報は１種類に限定して書き込まれており、さらに、外部より書き換えることが可能なＯＳＤ（ＣＰＵ）を備える。【選択図】図１
2009100219.tif 000002
【特許請求の範囲】
【請求項１】
ＨＤＭＩ（High Definition Multimedia Interface）規格に準拠した複数の入力インターフェースを備えた画像表示装置であって、
前記複数の入力インターフェースのうちの少なくとも１つの入力インターフェースのＤＤＣ（Display Data Channel）ラインに接続され、それぞれ複数種類の前記画像表示装置の解像度及びアスペクト情報を含むＥＤＩＤ（Extended Display Identification Data）情報が書き換え不能に書き込まれた第１の不揮発性メモリと、
前記第１の不揮発性メモリが接続される以外の少なくとも１つの前記入力インターフェースのＤＤＣラインに接続され、前記画像表示装置の解像度及びアスペクト情報が１種類に限定されてＥＤＩＤ情報が書き換え可能に書き込まれた第２の不揮発性メモリと、
前記第２の不揮発性メモリに書き込まれた前記画像表示装置の解像度及びアスペクト情報について、外部より任意に書き換えることが可能な情報書き換え手段とを、
備えた画像表示装置。
【発明の詳細な説明】
【技術分野】
【０００１】
本発明は、ＨＤＭＩ（High Definition Multimedia Interface）規格の入力インターフェースを備えた画像表示装置に係り、特に、外部の映像出力機器とＤＤＣ（Display Data Channel）ラインを通じて通信することが可能な画像表示装置に関する。
【背景技術】
【０００２】
Ｄ−ＶＨＳ（登録商標）、ＤＶＤ（Digital Versatile Disc）プレーヤ、ＰＣ（パーソナルコンピュータ）などの映像出力機器と画像表示装置とは、それぞれが有するＨＤＭＩ規格のインターフェースどうしが接続され、これらのインターフェースを介して、映像出力機器は画像表示装置の内蔵メモリから、Ｉ２Ｃ（Inter-Integrated Circuit：I-squared-C：アイ・スクエアド・シー）ラインを用いたＤＤＣ（Display Data Channel）規格に基づき、メーカー情報、機種情報などのディスプレイ情報を読み取るという構成が普及している。このディスプレイ情報は、画像表示装置の出荷時に、画像表示装置に内蔵されている不揮発性メモリにＥＤＩＤ（Extended Display Identification Data）情報として書き込まれる。映像出力機器はそのＥＤＩＤ情報を読み込み、画像表示装置で表示可能な出力フォーマットで映像信号を出力する。
【０００３】
ＨＤＭＩ規格には、例えば、デジタル映像信号のブランキング期間にデジタル音声信号を多重化して音声伝送を行うことが可能であること、デジタル映像信号をＲ，Ｇ，Ｂ形式の他に色差（Ｙ，Ｃｂ，Ｃｒ）形式で伝送することが可能であること、ＵＳＢ（Universal Serial Bus）ライクの小型のＨＤＭＩコネクタで接続することが可能であることなど、ＤＶＩ（Digital Visual Interface）規格にはない種々の規定が盛り込まれている。
【０００４】
ＨＤＭＩ規格のインターフェースを有する映像出力機器と表示装置間では、互換性が事前に検査（プラグフェスト）されているが、ＨＤＭＩ規格の伝送信号には、アスペクト情報などの表示関連情報も含まれており、この表示関連情報を抽出して利用することにより、表示モードとして、例えばテレビジョン信号受信機にて表示される画像のアスペクト比を、抽出したアスペクト情報に従って自動的に設定することができる。しかしながら、自動的に設定された表示モードが、必ずしもユーザの希望するモードと一致するとは限らなかった。
【０００５】
そのため、下記の特許文献１には、ＤＶＩ規格に準拠したシステムで、画像信号を受信するシンクデバイス側から、画像信号を送信するソースデバイス側を制御する画像伝送装置が開示されている。
【０００６】
また、下記の特許文献２には、ＨＤＭＩ規格の表示関連情報に基づく表示モードにおいて、ユーザによる表示モードの指示設定があった場合には、表示関連情報による応答を停止し、ユーザによる設定指示に従って表示モードを設定する画像表示装置が開示されている。
【特許文献１】特開２００２−３１４９７０（要約）
【特許文献２】特開２００６−１０８７５０（要約）
【発明の開示】
【発明が解決しようとする課題】
【０００７】
上記の特許文献１、２にそれぞれ開示された技術は、ＤＶＩ規格のインターフェースを備えた装置どうしを接続するか、又はＨＤＭＩ規格のインターフェースを備えた装置どうしを接続する場合のものであり、一方がＤＶＩ規格のインターフェースを備え、他方がＨＤＭＩ規格のインターフェースを備えた装置間の接続、すなわち、ＨＤＭＩ−ＤＶＩという接続形態においては、依然としてユーザの希望する表示モードにならないという不具合があった。
【０００８】
特に、画像表示装置がＨＤＭＩ規格の入力インターフェースを備え、映像出力機器がＤＶＩ規格の出力インターフェースを備えたこれらの装置を接続するとき、ユーザが希望する表示モードにならなかった。具体的には、ＤＶＩ規格の出力インターフェースを持つＰＣと、ＨＤＭＩ規格の入力インターフェースしか持たないＴＶあるいはプロジェクターとの接続形態では、希望する解像度、アスペクト比で表示できないことが多く、何らの表示もできない場合もあった。
【０００９】
これは映像信号を出力するＰＣが、画像表示装置内のＥＤＩＤ情報を、デジタルインターフェースを介して読み込み、画像表示装置の入力インターフェースがＨＤＭＩ規格であると認識した時点で、映像信号の出力を停止する機種（あるいはビデオボード）があるためである。このような処置は、ＤＶＩ規格ではＲ，Ｇ，Ｂの出力形式の場合にのみ許されており、色差入力を標準とするＨＤＭＩ規格との間での不具合を回避するためと考えられる。このように、ＨＤＭＩ−ＤＶＩという接続形態にはきちんとした接続補償がないため、不具合が発生する可能性が高くなっている。そのため、自分の購入した装置が表示不能になった場合は、どのように操作しても、その状態から抜け出すことはできず、使用不能という事態に陥っていた。
【００１０】
本発明は、上記のような従来技術の問題点を解決するためになされたもので、その目的は、画像信号を送信するソースデバイスの出力インターフェースが、ＤＶＩ規格、ＨＤＭＩ規格のいずれであっても、ユーザが希望する表示モードで表示することができる画像表示装置を提供することにある。
【課題を解決するための手段】
【００１１】
上記の目的を達成するために、本発明は、ＨＤＭＩ規格に準拠した複数の入力インターフェースを備えた画像表示装置であって、
前記複数の入力インターフェースのうちの少なくとも１つの入力インターフェースのＤＤＣラインに接続され、それぞれ複数種類の前記画像表示装置の解像度及びアスペクト情報を含むＥＤＩＤ情報が書き換え不能に書き込まれた第１の不揮発性メモリと、
前記第１の不揮発性メモリが接続される以外の少なくとも１つの前記入力インターフェースのＤＤＣラインに接続され、前記画像表示装置の解像度及びアスペクト情報が１種類に限定されてＥＤＩＤ情報が書き換え可能に書き込まれた第２の不揮発性メモリと、
前記第２の不揮発性メモリに書き込まれた前記画像表示装置の解像度及びアスペクト情報について、外部より任意に書き換えることが可能な情報書き換え手段とを、備える。
【発明の効果】
【００１２】
本発明によれば、それぞれ複数種類の解像度及びアスペクト情報を含むＥＤＩＤ情報が書き込まれた不揮発性メモリが接続された入力インターフェースの他に、解像度又はアスペクト情報を１種類に限定してＥＤＩＤ情報が書き換え可能に書き込まれた不揮発性メモリが接続された入力インターフェースを備え、さらに１種類に限定された解像度及びアスペクト情報を外部より任意に書き換えることを可能にしたので、画像信号を送信するソース機器の出力インターフェースが、ＤＶＩ規格、ＨＤＭＩ規格のいずれであっても、ユーザが希望する表示モードで表示することができる。
【発明を実施するための最良の形態】
【００１３】
以下、本発明を図面に示す好適な実施の形態に基づいて詳細に説明する。図１は本発明に係る画像表示装置の一実施の形態の概略構成を、ソース機器と併せて示したブロック図である。
図１において、画像表示装置１０は、複数のＨＤＭＩ規格の入力インターフェースを有し、このうち１つの入力インターフェース（図１では、ＨＤＭＩ（１）と記載）１１はＨＤＭＩ規格の出力インターフェースを有するソース機器（１）との接続に用いるもので、他の１つの入力インターフェース（図１では、ＨＤＭＩ（２）と記載）１２はＤＶＩ規格の出力インターフェースを有するソース機器（２）との接続に用いるものである。
外部のソース機器（１）（２）１、２からそれぞれ信号線３、４を介してＤＤＣ規格の信号と共に、ＨＤＭＩ規格の映像信号が入力インターフェース１１、１２に入力される。映像信号は、それぞれ信号処理部１８ａ、１８ｂによりディスプレイ２０に応じた信号形式に変換される。ＣＰＵ（Central Processing Unit）１５の制御により、セレクタ１９で表示されるソースが選択され、ディスプレイ２０にて映像を表示する。
【００１４】
入力インターフェース１１のＤＤＣラインには、標準のＥＤＩＤ情報が書き込まれ、ユーザがその内容を書き換えることのできない不揮発性のメモリ（以下、ＥＤＩＤメモリ（１）と称す）１３が接続され、入力インターフェース１２のＤＤＣラインには、ＥＤＩＤ情報の書き換えが可能な不揮発性メモリ（以下、ＥＤＩＤメモリ（２）と称す）１４が接続されている。ＥＤＩＤメモリ（２）１４はＥＤＩＤメモリ（１）１３と基本的な情報は一致させるが、エクステンション情報など複雑なＥＤＩＤ表記はとらず、必要最小限のシンプルな構成とするものである。
【００１５】
ＣＰＵ１５は画像表示装置１０全体を制御するもので、そのＳＤＡ（Serial Data）端子及びＳＣＬ（Serial Clock）端子が、Ｉ２Ｃ規格の信号を入出力するＩ２Ｃライン１６を介して、ＥＤＩＤメモリ（１）（２）１３及び１４のＳＤＡ端子及びＳＣＬ端子にそれぞれ接続され、そのＷＰ（ワードプロテクト）端子が、制御線１７を介して、ＥＤＩＤメモリ（２）１４のＷＰ端子に接続されている。そして、本発明の情報書き換え手段として、ＯＳＤ２１（On Screen Display）機能によりディスプレイ２０に表示させ、操作部２２より入力することによりユーザが希望する解像度及びアスペクト情報を選択してＥＤＩＤメモリ（２）１４に書き込むことを可能にしている。
【００１６】
そして、入力インターフェース１１の入力端子には、ＤＤＣ規格の信号を伝送する信号線３を介して、ＨＤＭＩ規格の出力インターフェースを有するソース機器（１）１を接続し、入力インターフェース１２の入力端子には、ＤＤＣ規格の信号を伝送する信号線４を介して、ＤＶＩ規格の出力インターフェースを有するソース機器（２）２を接続するように構成されている。
【００１７】
上記のように構成された本実施の形態の動作について以下に説明する。ＥＤＩＤメモリ（１）１３には、工場出荷時に標準のＥＤＩＤ情報が書き込まれている。標準のＥＤＩＤ情報として、装置自体の解像度及びアスペクト情報についてはそれぞれ複数種類が書き込まれる。
一方、ＥＤＩＤメモリ（２）１４は、基本的な情報はＥＤＩＤメモリ（１）１３と一致させるが、ＯＳＤ機能によりユーザが選択した最小限のデータのみ１種類に限定してユーザが自由に書き換えることが可能になっている。そこで、ユーザが選択したＥＤＩＤデータを書き込むとき、ＣＰＵ１５はＥＤＩＤメモリ（２）１４のＷＰ端子をノンアクティブの書き込み状態とし、ＳＤＡ端子及びＳＣＬ端子に接続されたＩ２Ｃライン１６を介して、ＥＤＩＤメモリ（２）１４を選択してユーザが選択したＥＤＩＤデータ、例えば解像度及びアスペクト情報を書き込む。書き終わった後は、ＷＰ端子をアクティブにして次の書き換え指示があるまで、ＥＤＩＤメモリ（２）１４の内容が書き換えられないようにする。
【００１８】
ここで、ＤＶＤプレーヤなどのＨＤＭＩ出力インターフェースを有するソース機器（１）１が入力インターフェース１１に接続されたとき、ソース機器（１）１は画像表示装置１０のＥＤＩＤメモリ（１）１３から、ＤＤＣ規格に基づくＥＤＩＤデータ、すなわちメーカー情報、機種情報などのディスプレイ情報を読み取って、対応するフォーマット信号を画像表示装置１０に送信する。
【００１９】
また、ＰＣなどのＤＶＩ出力インターフェースを有するソース機器（２）２が入力インターフェース１２に接続されたとき、ソース機器（２）２は画像表示装置１０のＥＤＩＤメモリ（２）１４から、ＤＤＣ規格に基づくＥＤＩＤデータ、すなわち解像度及びアスペクト情報などのディスプレイ情報を読み取って、対応するフォーマットの映像信号を画像表示装置１０に送信する。このように、ＥＤＩＤメモリ（２）１４にはユーザの希望する情報が１種類しか記述されないため、そのＥＤＩＤ情報を受け取るソース機器（２）２が誤判断する可能性を極力避けることができる。
【００２０】
例えば、フルハイビジョンの表示が可能な画像表示装置では、映像出力機器がＰＣの出力可能な解像度、アスペクトを事前に判断し、ユーザがＯＳＤ２１の機能を用いて「1080P60Hz、16:9アスペクト」といった情報を、ディスプレイ２０に表示させて、操作部２２により操作選択してＥＤＩＤメモリ（２）１４に書き込む。ＰＣからＥＤＩＤメモリ（２）１４を読み込んだときに解像度、アスペクト情報に多数の情報ではなく、単純に「1080P60Hz、16:9アスペクト」の１つしか記述されていないために、その表示モードが出力可能であれば、不具合なく表示される可能性が高くなる。また、ユーザが最初に選択したＥＤＩＤデータで正常に表示できなかったとしても、ＯＳＤ２１によりディスプレイ２０に表示された内の別の解像度タイミングを新たに選択し、ＥＤＩＤメモリ（２）１４を書き換えることにより表示できる可能性がでてくる。
【００２１】
以上の説明によって明らかなように、本発明の一実施の形態によれば、画像信号を送信するソース機器の出力インターフェースが、ＤＶＩ規格、ＨＤＭＩ規格のいずれであっても、ユーザが希望する表示モードで表示することができる画像表示装置が提供される。
【００２２】
なお、上記の実施の形態では、ＥＤＩＤメモリ（２）１４はＥＤＩＤメモリ（１）１３と基本的な情報は一致させるが、エクステンション情報など複雑なＥＤＩＤ表記はとらず、必要最小限のシンプルな構成とした。このように、ＥＤＩＤメモリ（２）１４に書き込まれる解像度及びアスペクト情報が１種類であれば、これら以外の情報がＥＤＩＤメモリ（１）１３と一致していたとしても、上述したとほぼ同様な効果が得られる。
【００２３】
また、上記の実施の形態では、ユーザが希望する情報をＯＳＤ２１の機能により表示させＥＤＩＤメモリ（２）１４に操作部２２より書き込む構成としたが、ＯＳＤ２１以外の、例えばパソコンラインを通じてユーザが希望する情報をＥＤＩＤメモリ（２）１４に書き込むようにしてもよい。
【図面の簡単な説明】
【００２４】
【図１】本発明に係る画像表示装置の一実施の形態の概略構成を、ソース機器と併せて示したブロック図である。
【符号の説明】
【００２５】
１、２  ソース機器（１）、（２）
３、４  信号線
１０  画像表示装置
１１、１２  入力インターフェース（ＨＤＭＩ（１）、（２））
１３、１４  ＥＤＩＤメモリ（１）、（２）（不揮発性メモリ）
１５  ＣＰＵ
１６  Ｉ２Ｃライン
１７  制御線
１８ａ、１８ｂ  信号処理部
１９  セレクタ
２０  ディスプレイ
２１  ＯＳＤ
２２  操作部
【図１】
2009100219.tif 000003